(57)【要約】      （修正有）【課題】施工性と外来ノイズに対するシールド性が高いテレビコンセントを提供する。【解決手段】テレビコンセントは、出力側同軸ケーブルのＦ型接栓が接続される取付軸６を有する金属製の筐体１と、金属製の蓋部材２と、取付軸６と蓋部材２との間に配置される端子板２０と、を備える。この構成では、亜鉛ダイキャストで一体に成形した蓋部材２で筐体１の開口部を覆うようにしたので、筐体１内で接続される入力側同軸ケーブルを筐体１と蓋部材２で覆うことができる。従って、電磁シールド性を向上させて、テレビ受信出力へのノイズの混入を抑制することができる。【選択図】図３
2020194793.tif 000002
【特許請求の範囲】
【請求項１】
出力側同軸ケーブルのＦ型接栓が接続される取付軸を有する金属製の筐体と、
金属製の蓋部材と、
前記取付軸と前記蓋部材との間に配置される端子板と、を備える、
テレビコンセント。
【請求項２】
出力側同軸ケーブルのＦ型接栓が接続される取付軸を有する金属製の筐体と、
金属製の蓋部材と、
前記Ｆ型接栓の芯線が接続される一のばね片を有する端子金具と、
前記一のばね片と前記蓋部材との間に配置される端子板と、を備える、
テレビコンセント。
【請求項３】
前記Ｆ型接栓の芯線が接続される一のばね片を有する端子金具をさらに備える、
請求項１に記載のテレビコンセント。
【請求項４】
前記端子金具は、入力側同軸ケーブルの芯線が接続される他のばね片を有する、
請求項２または３に記載のテレビコンセント。
【請求項５】
前記蓋部材は、前記筐体に対して開閉可能であり、
前記蓋部材を開いた状態で前記入力側同軸ケーブルの芯線を前記他のばね片に接続し、前記蓋部材を閉じて前記入力側同軸ケーブルを固定するように構成される、
請求項４に記載のテレビコンセント。
【請求項６】
前記端子板は、前記筐体に取着される、
請求項１〜５のいずれか一項に記載のテレビコンセント。
【請求項７】
前記蓋部材は、前記筐体に回動可能に支持される、
請求項１〜６のいずれか一項に記載のテレビコンセント。
【発明の詳細な説明】
【技術分野】
【０００１】
本発明は、屋内の壁面等に設けられ、テレビ受像機にアンテナ受信信号を供給するテレビコンセントに関するものである。
【背景技術】
【０００２】
屋内の壁面等に設けられるテレビコンセントには、テレビアンテナから入力側同軸ケーブルを介してアンテナ受信信号が供給され、そのアンテナ受信信号がテレビコンセントから出力側同軸ケーブルを介してテレビ受像機に供給される。
【０００３】
近年、テレビ放送の超高精細化に伴い、テレビコンセントに供給される受信信号のＩＦ周波数帯域は、３．２２４ＧＨｚまで広帯域化されている。しかし、この帯域は無線ＬＡＮ等の他の通信サービスの帯域と重なるため、干渉によるノイズが発生しやすい。
【０００４】
特許文献１には、テレビアンテナから受信信号が供給される入力側同軸ケーブルを、Ｆ型接栓を使用することなく接続する構成としたテレビコンセントが開示されている。このテレビコンセントでは、入力側同軸ケーブルと出力側同軸ケーブルを電気的に接続する接続金具を収容する筐体が、金属板を折り曲げて箱状に形成されている。
【先行技術文献】
【特許文献】
【０００５】
【特許文献１】特開２００１−１３５４３３号公報
【発明の概要】
【発明が解決しようとする課題】
【０００６】
特許文献１に開示されたテレビコンセントでは、入力側同軸ケーブルの芯線と、その芯線と電気的に接続される端子金具が電磁的にシールドされていないため、他の通信サービスの電磁波との干渉により発生するノイズの影響を受けやすくなっている。
【０００７】
Ｆ型接栓を使用して入力側同軸ケーブルをテレビコンセントに接続すると、シールド性は向上するが、筐体とＦ型接栓部がダイカストで一体に形成されるため、加工に労力を要するという問題がある。また、施工時にＦ型接栓をテレビコンセントにネジ着する作業が煩雑となる。
【０００８】
この発明はこのような事情に鑑みてなされたものであり、その目的は施工性がよく、外来ノイズに対するシールド性も確保し得るテレビコンセントを提供することにある。
【課題を解決するための手段】
【０００９】
上記課題を解決する一態様のテレビコンセントは、出力側同軸ケーブルのＦ型接栓が接続される取付軸を有する金属製の筐体と、金属製の蓋部材と、前記取付軸と前記蓋部材との間に配置される端子板と、を備える。
上記課題を解決する別態様のテレビコンセントは、出力側同軸ケーブルのＦ型接栓が接続される取付軸を有する金属製の筐体と、金属製の蓋部材と、前記Ｆ型接栓の芯線が接続される一のばね片を有する端子金具と、前記一のばね片と前記蓋部材との間に配置される端子板と、を備える。
【発明の効果】
【００１０】
本発明のテレビコンセントによれば、施工性と外来ノイズに対するシールド性が高くなる。
【図面の簡単な説明】
【００１１】
【図１】一実施形態のテレビコンセントを示す斜視図である。
【図２】一実施形態のテレビコンセントを示す斜視図である。
【図３】一実施形態のテレビコンセントを示す分解斜視図である。
【図４】筐体を示す斜視図である。
【図５】蓋部材を示す斜視図である。
【図６】蓋部材を開いた状態を示す側面図である。
【図７】一実施形態のテレビコンセントを示す背面図である。
【発明を実施するための形態】
【００１２】
以下、テレビコンセントの一実施形態を図面に従って説明する。図１〜図３に示すテレビコンセントは、入力側同軸ケーブルと出力側同軸ケーブルとを電気的に接続する端子金具を収容する筐体１と、筐体１の開口部を覆う蓋部材２が備えられる。
【００１３】
図４に示すように、筐体１は亜鉛ダイキャストで長四角箱状に一体形成され、一方に向かって開口されている。なお、このテレビコンセントは、壁面に取り付けられるとき、筐体１が室外側に向かって開口するように取り付けられる。筐体１の上辺３及びその上辺３の両側に連なる側辺４の上部は、室外側に向かって延設されている。
【００１４】
筐体１の他方側の側面、すなわち室内側に向かう側面には円筒状の取付軸６が突出され、その取付軸６の外周面にはネジ７が刻設されて、Ｆ型接栓を螺合可能となっている。取付軸６の中央部に形成された透孔８は、筐体１内に連通している。
【００１５】
筐体１の側辺４には、それぞれ側方へ突出する取付片９が形成され、その取付片９を介して壁面に固定される。
筐体１内には、合成樹脂でほぼ板状に形成されたセパレータ１０が取着されている。セパレータ１０には取付軸６内に向かって室内側に突出する筒状部１１が形成され、図２に示すように、その筒状部１１の先端が取付軸６の透孔８内に露出されている。筒状部１１の中心部には、出力側同軸ケーブルＣｏの芯線を挿通可能とした挿通孔１２が形成されている。
【００１６】
セパレータ１０の下縁一側には、複数の係止凸部１３が室外側に向かって突出され、その係止凸部１３には端子金具１４が支持されている。端子金具１４には、下方から挿入される入力側同軸ケーブルＣｉの芯線を挟着可能とした第一のばね片１５と、室内側から挿入される出力側同軸ケーブルＣｏの芯線を挟着可能とした第二のばね片１６が形成されている。
【００１７】
そして、第二のばね片１６はその先端部がセパレータ１０の筒状部１１内に挿入されて、挿通孔１２に挿入される芯線を挟着可能となっている。
セパレータ１０の係止凸部１３には、合成樹脂で成形された端子ケース１７の基台部が嵌着されている。端子ケース１７の一側には直方体状の端子収容部１８が形成され、その端子収容部１８に端子金具１４の第一のばね片１５が収容されている。また、端子収容部１８の上面には、入力側同軸ケーブルＣｏの芯線を挿通可能とした挿通孔１９が形成されている。入力側同軸ケーブルＣｉを接続する端子金具１４を端子ケース１７で覆っているため、入力側同軸ケーブルＣｉの芯線と編組線の短絡を防止することができる。
【００１８】
筐体１には、筐体１内に収容されたセパレータ１０及び端子ケース１７の基台部を覆うように端子板２０が取着される。端子板２０は鉄板で形成され、四隅に形成された透孔２１で筐体１の開口部の角部に固定される。なお、端子ケース１７には端子収容部１８を端子板２０より室外側に突出させるように、端子収容部１８を挿通可能とした溝部２２が形成されている。
【００１９】
端子板２０の中央部には、端子収容部１８への芯線の挿通方向と直交する方向に延びる突条２３が形成されている。
蓋部材２は、筐体１の開口部を覆う形状に亜鉛ダイキャストで一体に形成されている。蓋部材２の周縁部は筐体１の開口部の周縁部に密接するように形成されている。蓋部材２の上縁部両側には、それぞれ側方に突出する支軸２４が形成されている。
【００２０】
筐体１の側辺４には、上辺３の両端部近傍に支軸２４を保持可能とした支持溝２５が形成されている。そして、蓋部材２は支軸２４が支持溝２５に保持された状態では、支軸２４を回動支点として筐体１に回動可能に支持されている。
【００２１】
図１に示すように、支持溝２５は、支軸２４を回動可能に支持する溝部と、その溝部と連通し、溝部の幅及び支軸２４の直径より小さい幅の開口部を有する。開口部の幅が溝部及び支軸２４の直径より小さいため、支軸２４の支持溝２５の溝部からの脱落を防止することができる。また、支持溝２５の溝部と開口部の空間が、支軸２４の挿入により埋められるため、テレビコンセントの電磁シールド性を向上させることができる。なお、支持溝２５の形状は上記形状に限定されるものではない。
【００２２】
蓋部材２の下縁には、端子収容部１８の挿通孔１９に連通する位置に保持凹部２６が開口されている。保持凹部２６は、蓋部材２に湾曲部２６ａを形成することにより断面蒲鉾状（略半円状）に形成されている。
【００２３】
図２及び図５に示すように、保持凹部２６の開口部近傍において保持凹部２６に対向する湾曲部２６ａの裏面には、抜け止め突起３４が形成されている。保持凹部２６の開口部近傍に抜け止め突起３４を設けることで、入力側同軸ケーブルＣｉがたとえば引っ張られたときに、保持凹部２６の開口部からの抜けを抑制することができる。
【００２４】
そして、蓋部材２を開放した状態で入力側同軸ケーブルＣｉの芯線を端子収容部１８の挿通孔１９に挿通し、この状態で蓋部材２を回動して閉じると、入力側同軸ケーブルＣｉが保持凹部２６内で蓋部材２と端子板２０及び筐体１の開口縁との間で挟着保持されるようになっている。
【００２５】
蓋部材２の中央部には、ネジ２７を挿通可能とした透孔２８が形成されている。また、端子板２０には透孔２８に連通する位置にネジ孔２９が設けられている。そして、蓋部材２を閉じた状態でネジ２７を透孔２８からネジ孔２９に螺入すると、蓋部材２が端子板２０に固定されるとともに、常には丸軸状の入力側同軸ケーブルＣｉが保持凹部２６内で押し潰されて、保持凹部２６がほぼ封止されるようになっている。
【００２６】
図５に示すように、蓋部材２の上縁には、等間隔に複数の突起３０が形成されている。そして、図７に示すように、蓋部材２を閉じた状態では蓋部材２の上縁と筐体１の上辺３との間の間隙が突起３０で等間隔に塞がれるようになっている。
【００２７】
このようにして、突起３０で間隙を塞ぐと、突起３０の間隔が波長の１／１０〜１／２０となる周波数またはそれより低い周波数の電波、すなわち入力側同軸ケーブルＣｉを介して伝送されるテレビ受信信号に対してノイズを発生させ得る電磁波に対するシールド効果が得られる。また、突起３０を設けることで蓋部材２の上縁を筐体１の上辺に接触させて、蓋部材２を安定して保持することができる。
【００２８】
筐体１の室内側の側面には、合成樹脂で四角箱状に成形された端子カバー３１が取着される。端子カバー３１の中央部には、取付軸６を挿通して室内側に露出させるための透孔３２が設けられ、室内側に向かう正面において透孔３２の周囲には取付軸６に室内側から出力側同軸ケーブルＣｏのＦ型接栓Ｆを接続するための凹部３３が形成されている。
【００２９】
端子カバー３１の左右方向両側面には、先端部が楔状に形成された係止片３５が形成され、その係止片３５を筐体１の取付片９に形成された取付溝３６に係合させることにより、端子カバー３１が筐体１に取着されている。
【００３０】
そして、このように構成されたテレビコンセントがブラケットを介して壁面に固定され、コンセントカバーにより端子カバー３１の正面及び取付軸６のみが壁面に露出される。  次に、上記のように構成されたテレビコンセントの作用を説明する。
【００３１】
上記のテレビコンセントを壁面に設置する際には、図６に示すように、まず蓋部材２を開けた状態で、アンテナから受信信号が供給される入力側同軸ケーブルＣｉの芯線を端子収容部１８の挿通孔１９に挿通して端子金具１４の第一のばね片１５に挟着させる。
【００３２】
そして、蓋部材２を閉じてネジ２７を締め込むと、蓋部材２が筐体１に固定されるとともに、入力側同軸ケーブルＣｉが保持凹部２６内で径方向に押圧されて変形する。この結果、保持凹部２６が入力側同軸ケーブルＣｉで封止される。
【００３３】
この状態で、テレビコンセントを壁面に設置し、室内に露出される取付軸６に入力側同軸ケーブルＣｏのＦ型接栓Ｆを接続するとともに芯線を挿通孔１２に挿通して端子金具１４の第二のばね片１６に挟着させる。すると、入力側同軸ケーブルＣｉの芯線と出力側同軸ケーブルＣｏの芯線が端子金具１４を介して接続され、アンテナからテレビ受像機にアンテナ受信信号が供給される状態となる。
【００３４】
上記のようなテレビコンセントでは、次に示す効果を得ることができる。
（１）亜鉛ダイキャストで一体に成形した蓋部材２で筐体１の開口部を覆うようにしたので、筐体１内で接続される入力側同軸ケーブルＣｉを筐体１と蓋部材２で覆うことができる。従って、電磁シールド性を向上させて、テレビ受信出力へのノイズの混入を抑制することができる。
【００３５】
（２）入力側同軸ケーブルＣｉを蓋部材２の湾曲部２６ａと筐体１の開口縁及び端子板２０との間で押圧して保持凹部２６をほぼ封止する状態とすることができる。従って、Ｆ型接栓Ｆを使用することなく、筐体１内で接続される入力側同軸ケーブルＣｉに対する電磁シールド性を向上させることができる。
【００３６】
（３）入力側同軸ケーブルＣｉの芯線を端子ケース１７の挿通孔１９に挿通し、蓋部材２を閉じてネジ２７で筐体１に固定すれば、入力側同軸ケーブルＣｉのテレビコンセントへの接続作業が終了するため、入力側同軸ケーブルＣｉの接続作業に要する工数を削減することができる。すなわち、施工性がよく、外来ノイズに対するシールド性も確保することができる。
【００３７】
（４）筐体１を亜鉛ダイキャストで一体成型したので、透孔を設けることなく箱状の筐体を形成することができる。従って、筐体１のシールド性を向上させることができる。
（５）蓋部材２を筐体１の開口部に開閉可能に支持したので、蓋部材２を開けば入力側同軸ケーブルＣｉの芯線を端子ケース１７の挿通孔１９に容易に挿通することができる。
【００３８】
（６）入力側同軸ケーブルＣｉの芯線を挿通孔１９に挿通した後、蓋部材２を閉じると、蓋部材２の上縁と筐体１の開口縁との間の隙間が複数の突起３０で等間隔に塞がれる。従って、蓋部材２の上縁と筐体１の開口縁との間の隙間による電磁シールド性の低下を抑制することができる。
【００３９】
（７）蓋部材２の湾曲部２６ａに設けた抜け止め突起３４を入力側同軸ケーブルＣｉに係合させることにより、保持凹部２６からの入力側同軸ケーブルＣｉの抜けを抑制することができる。
【００４０】
（８）筐体１に出力側同軸ケーブルＣｏのＦ型接栓Ｆを接続可能とした取付軸６を一体に形成したので、シールド性を向上させることができる。
上記実施形態は、以下のように変更してもよい。
【００４１】
・筐体１及び蓋部材２は、亜鉛ダイキャスト以外の金属、例えばアルミダイカスト、すなわち電磁波をシールドする特性を備え、かつ鋳造に適した金属で一体形成してもよい。
・蓋部材と筐体との間の隙間を等間隔に塞ぐ突起は、蓋部材とは別体の部材を蓋部材に取着してもよい。なお、上述の突起は、等間隔でなくてもよい。
【００４２】
（付記１）
Ｆ型接栓の芯線が接続される端子金具を収納する収納部、および、前記収納部を開口する開口部を有する筐体と、
前記筐体の開口部を覆う金属製の蓋部材とを備え、
前記蓋部材の周縁部は前記筐体の開口部の周縁部に接触する
テレビコンセント。
【００４３】
（付記２）
前記筐体は前記筐体の開口部の周縁部に対して前記筐体の収納部とは反対側に突出する突出部を有し、
前記蓋部材は前記突出部の隣に配置されている
付記１に記載のテレビコンセント。
【００４４】
（付記３）
前記突出部は前記突出部の突出方向に広がる側面を有し、
前記蓋部材の周縁部が前記筐体の開口部の周縁部と接触する状態では、前記蓋部材の側縁は前記突出部の側面に対向する
付記２に記載のテレビコンセント。
【００４５】
（付記４）
前記突出部は前記筐体に対して回動できるように前記蓋部材を支持する
請求項２または３に記載のテレビコンセント。
【００４６】
（付記５）
前記蓋部材は前記蓋部材の側縁から突出する支軸を有し、
前記筐体は前記蓋部材が前記筐体に対して回動できるように前記支軸を支持する支持溝を有し、
前記支持溝は前記支軸を支持する溝部、および、前記溝部と連通する開口部を有する
付記１〜４のいずれか一項に記載のテレビコンセント。
【００４７】
（付記６）
前記支持溝の開口部の幅は前記溝部の幅よりも小さい
付記５に記載のテレビコンセント。
【００４８】
（付記７）
前記支持溝の開口部の幅は前記支軸の直径よりも小さい
付記５または６に記載のテレビコンセント。
【００４９】
（付記８）
前記蓋部材は前記蓋部材の側縁と前記筐体の開口縁との間の隙間を塞ぐ突起を有する
付記１〜７のいずれか一項に記載のテレビコンセント。
【符号の説明】
【００５０】
１  ：筐体
２  ：蓋部材
３  ：上辺
４  ：側辺
１４：端子金具
２４：支軸
２５：支持溝
３０：突起
Ｃｉ：入力側軸ケーブル
Ｃｏ：出力側軸ケーブル
Ｆ  ：Ｆ型接栓
【図１】
2020194793.tif 000003
【図２】
2020194793.tif 000004
【図３】
2020194793.tif 000005
【図４】
2020194793.tif 000006
【図５】
2020194793.tif 000007
【図６】
2020194793.tif 000008
【図７】
2020194793.tif 000009